(57)【要約】【課題】ポインタが表示された指示部に対応する指示の内容や、当該指示部とポインタとの位置関係に応じて、操作部に加わる振動として最初に付与される力の方向を適切に制御可能な操作装置の提供。【解決手段】（Ａ）に示すように、ポインタ６９が丸アイコン６３（指示部の一例）の右端付近にあるときに、操作部に右方向に反力Ｆが付与されると、（Ｂ）に示すようにポインタ６９が丸アイコン６３から外れてしまう場合がある。なお、図６では、説明の便宜上、表示部の表示に対して反力Ｆを図示したが、実際には、その表示に対応する方向に操作部に対して反力が付与される。この課題を解決するため、（Ｃ），（Ｄ），（Ｅ）に示すように、反力Ｆ（振動として最初に付与される力）の付与方向が常に丸アイコン６３の中心を向くように制御する。【選択図】図６
2015170007.tif 000002
【特許請求の範囲】
【請求項１】
操作対象の機器に対する指示を入力するための指示部（６３，６４，６５，１６３，１６５，２６３，２６５）を含んだ画像を表示する画像表示部（１０）と、
交差する２軸方向に操作者（Ｄ）によって手動操作される操作部（３１，１３１）と、
前記操作部の操作状態を検出する操作状態検出部（４２）と、
前記画像表示部を制御して、前記画像表示部が表示する前記画像上の、前記操作状態検出部が検出した操作状態に応じた位置に、ポインタ（６９，１６９）を表示するポインタ表示部（１６，４０，Ｓ１）と、
前記操作部に振動を付与する振動付与部（３８，４０，Ｓ１１，Ｓ１３）と、
前記ポインタが前記指示部上に表示されているとき、当該指示部と前記ポインタとの位置関係又は当該指示部に対応する指示の内容に基づき、前記振動付与部により前記操作部に前記振動として最初に付与される力の方向を決定する方向決定部（４０，Ｓ７）と、
を備えたことを特徴とする操作装置。
【請求項２】
前記ポインタ（６９）が前記指示部（６３，６４，６５）上に表示されているとき、前記方向決定部は、前記ポインタが前記指示部の中心に近づく操作方向に、前記力の方向を決定することを特徴とする請求項１に記載の操作装置。
【請求項３】
前記操作部は、前記２軸方向の手動操作に加えて、前記２軸を含む平面に交差する軸を中心として回転させる手動操作も可能に構成され、
前記振動付与部は、前記ポインタが前記指示部上に表示され、かつ、前記回転させる手動操作がなされた場合、前記ポインタが前記指示部の中心に近づく操作方向に前記振動を付与することを特徴とする請求項２に記載の操作装置。
【請求項４】
前記ポインタ（１６９）が前記指示部（２６３，２６５）上に表示されているとき、前記方向決定部は、前記ポインタが前記指示部の中心から離れる操作方向に、前記力の方向を決定することを特徴とする請求項１に記載の操作装置。
【請求項５】
前記指示部（１６３，１６５）は、前記画像表示部に前記ポインタ（１６９）とは別に表示された特定表示（１６０Ａ）を移動又は伸縮させるための指示を入力するための指示部であり、
前記ポインタが前記指示部上に表示されているとき、前記方向決定部は、特定表示が移動又は伸縮する方向に、前記力の方向を決定することを特徴とする請求項１に記載の操作装置。
【発明の詳細な説明】
【技術分野】
【０００１】
本発明は、画像表示部を用いて操作を行うための操作装置に関する。
【背景技術】
【０００２】
従来、ディスプレイ等の画像表示部を用いて操作を行うための操作装置が種々知られている。例えば、操作対象の機器に対する指示を入力するための指示部（例えばアイコン）を含んだ画像を画像表示部に表示し、交差する２軸方向に手動操作される操作部（例えば操作ノブ）によって前記画像上でポインタを移動させる装置が知られている。
【０００３】
このような装置では、操作者は、操作部を操作することによって所望の指示部上にポインタを移動させ、その指示部に対応する前記機器のパラメータ等を変更又は決定することができる。この場合、パラメータの変更や決定は、ポインタが特定の指示部上に所定時間以上表示されたときになされてもよく、ポインタが指示部上に表示されている間に操作部が押下されたり捻られたりしたときになされてもよい。
【０００４】
また、このような操作装置では、操作者が所望の指示部上にポインタを移動させるのを容易にするため、種々の工夫がなされている。例えば、モータ等によって操作部の動きに反力（操作反力）を付与し、ポインタをそのポインタに近接するアイコンの中心に引き込むように制御することが提案されている（例えば、特許文献１参照。）。
【先行技術文献】
【特許文献】
【０００５】
【特許文献１】特開２００５−２５０９８３号公報
【発明の概要】
【発明が解決しようとする課題】
【０００６】
ここで、所望の指示部上にポインタを表示してその指示部に対応するパラメータ等を変更又は決定する操作装置では、パラメータ等の変更又は決定がなされたことを、操作部を振動させることによって操作者に知らせることが考えられる。特に、自動車のドライバによって操作される車載型操作装置では、このように操作部の振動を利用することにより、ドライバが画像表示部を見なくてもそのドライバにパラメータ等の変更又は決定がなされたことを知らせることが可能となる。
【０００７】
ところが、ポインタが指示部の端に表示されているとき、操作部に振動として最初に付与される力の方向が、ポインタが指示部の中心から離れる操作方向であると、振動が加わった瞬間にポインタが指示部上から外れてしまう場合がある。その場合、当該指示部を用いた変更等を継続するためには、操作者はもう一度ポインタを前記指示部上に移動させなければならない。また、ポインタが有効でない指示部上に表示されている場合などは、逆に、操作部に振動を加えてポインタを当該指示部上から外れるようにすることも考えられる。さらに、ポインタが表示された指示部が、画像表示部にポインタとは別に表示された特定表示を移動又は伸縮させるためのものである場合、特定表示が移動又は伸縮する方向と、操作部に振動として最初に付与される力の方向とが一致しているのが望ましい。
【０００８】
しかしながら、特許文献１には、操作部に振動を付与することすら開示されていない。すなわち、従来は、操作部に振動として最初に付与される力の方向を制御することについて検討がなされていなかった。
【０００９】
そこで、本発明は、ポインタが表示された指示部に対応する指示の内容や、当該指示部とポインタとの位置関係に応じて、操作部に加わる振動として最初に付与される力の方向を適切に制御可能な操作装置を提供することを目的としてなされた。
【課題を解決するための手段】
【００１０】
前記目的を達するためになされた本発明の操作装置では、画像表示部は、操作対象の機器に対する指示を入力するための指示部を含んだ画像を表示する。操作部は、交差する２軸方向に操作者によって手動操作され、その操作状態を操作状態検出部が検出する。ポインタ表示部は、画像表示部を制御することにより、画像表示部が表示する前記画像上の、前記操作状態検出部が検出した操作状態に応じた位置に、ポインタを表示する。
【００１１】
また、方向決定部は、ポインタが指示部上に表示されているとき、当該指示部と前記ポインタとの位置関係又は当該指示部に対応する指示の内容に基づき、振動付与部により操作部に振動として最初に付与される力の方向を決定する。このため、本発明では、ポインタが表示された指示部に対応する指示の内容や、当該指示部とポインタとの位置関係に応じて、操作部に加わる振動として最初に付与される力の方向を適切に制御することができる。
【００１２】
なお、本発明において、前記ポインタが前記指示部上に表示されているとき、前記方向決定部は、前記ポインタが前記指示部の中心に近づく操作方向に、前記力の方向を決定してもよい。その場合、振動によってポインタが指示部上から外れてしまうのを良好に抑制することができる。
【００１３】
また、本発明において、前記ポインタが前記指示部上に表示されているとき、前記方向決定部は、前記ポインタが前記指示部の中心から離れる操作方向に、前記力の方向を決定してもよい。その場合、操作部に振動を加えることによって、ポインタを指示部上から外すことができる。
【００１４】
また、本発明において、前記指示部は、前記画像表示部に前記ポインタとは別に表示された特定表示を移動又は伸縮させるための指示を入力するための指示部であり、前記ポインタが前記指示部上に表示されているとき、前記方向決定部は、特定表示が移動又は伸縮する方向に、前記力の方向を決定してもよい。その場合、操作部に加わる振動として最初に付与される力の方向を参照することにより、操作者は、画像表示部を見なくても特定表示が移動又は伸縮する方向を知ることができる。
【図面の簡単な説明】
【００１５】
【図１】本発明の第１実施形態が適用された車両の要部構成を表す模式図である。
【図２】その車両における操作デバイスの構成を表す斜視図である。
【図３】その車両における制御系の一部を表すブロック図である。
【図４】その制御系がディスプレイに表示する画像の一例を表す説明図である。
【図５】前記操作デバイスの振動時に付与される反力の波形を表す説明図である。
【図６】その操作デバイスの振動形態による課題と効果とを表す説明図である。
【図７】前記制御系で実行される処理を表すフローチャートである。
【図８】第２実施形態の操作デバイスの構成を模式的に表す斜視図である。
【図９】その操作デバイスの振動形態による課題と効果とを表す説明図である。
【図１０】その操作デバイスの他の振動形態を表す説明図である。
【発明を実施するための形態】
【００１６】
［第１実施形態の構成］
次に、本発明の実施形態を図面と共に説明する。図１に示すように、第１実施形態の操作装置は、車両１の車室３の内部に設けられたディスプレイ１０と遠隔操作装置２０とを備えている。ディスプレイ１０は、ダッシュボード９の上面又は前面に設けられて、ドライバＤに各種情報を表示する。遠隔操作装置２０は、操作デバイス３０と操作制御部４０とを備えている。操作デバイス３０は、コンソール３４の上面に設けられた被取付面３５に取り付けられ、次のように構成されている。
【００１７】
図２に示すように、操作デバイス３０は、操作ノブ３１とタッチパッド３２と決定ボタン３３とを、各種入力のために備えている。なお、以下の説明において、ドライバＤから見た前後左右上下の方向を装置の前後左右上下の方向として説明する。また、図２に示すように、右方向を＋Ｘ、左方向を−Ｘ、前方向を＋Ｙ、後方向を−Ｙ、上方向を＋Ｚ、下方向を−Ｚとした３次元の直交座標系を用いて説明する場合がある。被取付面３５のうち操作ノブ３１を支持する部分は、ＸＹ平面と平行な平面状に構成されている。
【００１８】
操作ノブ３１は、Ｚ軸と平行な中心軸を有する円板状に構成され、その中心軸回りに回転可能に構成されている。また、操作ノブ３１は、被取付面３５の下方に設けられたスライド機構３６（図３参照）によって、ＸＹ方向（すなわち前記回転の軸に直交する２軸方向）にスライド可能に構成されている。なお、スライド機構３６としては、周知の種々の機構が適用可能であるが、例えば、特開２００５−２５０９８３号公報に開示された機構が適用可能である。
【００１９】
また、操作デバイス３０は、被取付面３５における操作ノブ３１を支持する部分よりも後方から操作ノブ３１の上方まで延出する延出部３７を備えており、その延出部３７の上面３７Ａに、タッチパッド３２と決定ボタン３３とが設けられている。なお、決定ボタン３３は、タッチパッド３２の前方に設けられている。延出部３７及び操作ノブ３１は、延出部３７に上方から掌を当てて、親指と人差し指とで操作ノブ３１を左右両側から摘むことができる程度の大きさに構成されている。
【００２０】
図３は、車両１の制御系のうち、操作ノブ３１とディスプレイ１０とに関連する部分を抜粋して示している。また、図３には、各部の電気的な接続関係が実線の矢印で示されているが、一部の機械的な接続関係も破線の矢印で示されている。図３に示すように、操作ノブ３１をＸＹ方向にスライド可能に支持するスライド機構３６には、Ｘ軸方向，Ｙ軸方向それぞれに反力を加える一対のモータ３８が設けられている。このため、操作ノブ３１には、ＸＹ平面に沿った３６０°どの方向へも反力が付与可能である。なお、このように操作ノブ３１に反力を付与する機構としては、周知の種々の機構が適用可能であるが、例えば、特開２００５−２５０９８３号公報に開示された機構が適用可能である。
【００２１】
また、操作ノブ３１には、その回転（すなわちドライバＤによる捻り）を検出する回転センサ３９が設けられている。そして、回転センサ３９の検出信号及び一対のモータ３８の駆動量は操作制御部４０に入力され、操作制御部４０によって一対のモータ３８が駆動される。
【００２２】
操作制御部４０は、一対のモータ３８を駆動するモータドライバ４１と、その駆動量に基づいて操作ノブ３１のＸＹ方向の位置座標を検出する位置検出部４２と、回転センサ３９の検出信号に基づいて操作ノブ３１の回転角を検出する回転検出部４３とを備えている。この操作制御部４０は、ＣＰＵ，ＲＯＭ，ＲＡＭを備えたマイクロコンピュータとして構成され、さらに、インタフェース（Ｉ／Ｆ）４５を介してＣＡＮバス５０との通信を行う通信制御部４６も備えている。
【００２３】
ディスプレイ１０は、画像を表示するＬＣＤモニタ１１と、そのＬＣＤモニタ１１における表示状態を制御する表示制御部１５とを備えている。表示制御部１５も、ＣＰＵ，ＲＯＭ，ＲＡＭを備えたマイクロコンピュータとして構成され、ＬＣＤモニタ１１を駆動するディスプレイドライバ１６と、インタフェース（Ｉ／Ｆ）１７を介してＣＡＮバス５０との通信を行う通信制御部１８とを備えている。
【００２４】
［第１実施形態における制御］
図４は、ＬＣＤモニタ１１に表示される画面の一例を表している。この画面は、車室３内の空調に関する設定を行うための画面である。この画面は、丸い形状をした３つの丸アイコン６３，６４，６５と、四角い形状をした５つの角アイコン６７と、ポインタ６９とを備えている。丸アイコン６３は、運転席側の室温を設定するための指示部である。丸アイコン６４は、風力を設定するための指示部である。丸アイコン６５は、助手席側の室温を設定するための指示部である。角アイコン６７は、エアコンのオン／オフや、空気の吹出口を設定するための指示部である。ポインタ６９は、位置検出部４２が検出した操作ノブ３１の位置に対応するＬＣＤモニタ１１上の位置に表示される。
【００２５】
操作ノブ３１がＸＹ方向に手動操作されることによってポインタ６９が丸アイコン６３，６４，６５のいずれかの上に表示された状態で、操作ノブ３１が回転されると、その丸アイコン６３，６４，６５のいずれかに対応する数値又はレベルが調整可能となる。例えば、ポインタ６９が丸アイコン６３の上に表示された状態で操作ノブ３１が回転されると、その丸アイコン６３の中心に数字で表示された運転席側室温の設定値が変化する。なお、図４の例では、温度を華氏で表示している。ポインタ６９が丸アイコン６５の上に表示された状態で操作ノブ３１が回転されると、同様に助手席側室温の設定値が変化する。ポインタ６９が丸アイコン６４の上に表示された状態で操作ノブ３１が回転されると、風力レベルの設定値が変化する。
【００２６】
ここで、操作ノブ３１の回転に応じてこのように各種設定値が変化されたとき、一対のモータ３８を駆動して操作ノブ３１に振動を付与することが考えられる。そのような制御が実行されれば、ドライバＤはディスプレイ１０を見なくても、設定値が変化したことを知ることができる。また、このような振動は、例えば、一対のモータ３８を介して、操作ノブ３１に図５に示すような三角波状の反力（操作反力）Ｆを付与する処理と、その操作ノブ３１を元の位置に戻す処理とを繰り返し実行することによって与えられる。
【００２７】
しかしながら、その場合、反力Ｆの付与方向が無作為に決定されると、次のような課題が発生する。例えば、図６（Ａ）に示すように、ポインタ６９が丸アイコン６３の右端付近にあるときに、右方向（＋Ｘ方向）に反力Ｆが付与されると、図６（Ｂ）に示すようにポインタ６９が丸アイコン６３から外れてしまう場合がある。特に、操作ノブ３１を捻る力がドライバＤの指から加わっている場合は、その指から加わる力との相乗効果によって、ポインタ６９が丸アイコン６３から外れやすくなる場合がある。なお、図６では、説明の便宜上、ディスプレイ１０における表示に対して反力Ｆを図示したが、実際には、その表示に対応する方向に操作ノブ３１に対して反力が付与されることはいうまでもない（以下同様）。
【００２８】
このように、反力Ｆが付与されたことによってポインタ６９が丸アイコン６３から外れると、丸アイコン６３を用いた設定値の変更操作を継続したい場合は、ドライバＤはもう一度ポインタ６９を丸アイコン６３の上へ移動させなければならない。そこで、本実施形態では、操作制御部４０が次の図７に示す処理を実行することにより、図６（Ｃ），（Ｄ），（Ｅ）に示すように、反力Ｆの付与方向が常に丸アイコン６３（他の丸アイコン６４，６５であってもよい）の中心を向くように制御している。
【００２９】
なお、図７の処理は、ＬＣＤモニタ１１にポインタ６９が表示されている間、操作制御部４０のＣＰＵによって、同じく操作制御部４０のＲＯＭに記憶されたプログラムに基づいて繰り返し実行される処理である。この処理では、先ず、Ｓ１（Ｓはステップを表す：以下同様）にて、位置検出部４２を介して検出された操作ノブ３１の位置に対応するＬＣＤモニタ１１上の位置に、ポインタ６９を表示する周知の処理がなされる。続くＳ３では、操作ノブ３１が回転操作されたことが回転検出部４３を介して検出されたか否かが判断される。回転操作が検出されていない場合は（Ｓ３：Ｎ）、処理は前述のＳ１へ移行する。
【００３０】
一方、回転操作が検出された場合は（Ｓ３：Ｙ）、処理はＳ５へ移行する。Ｓ５では、ポインタ６９により選択されたボタン（図４の例では丸アイコン６３〜６５のいずれか）の中心座標と、ポインタ６９が指示するポインティング座標とが比較される。続くＳ７では、反力の付与方向が、前記ポインティング座標が前記中心座標に向かって移動する操作方向に決定される。
【００３１】
続くＳ９では、反力の付与を指示する反力付与信号を操作制御部４０が受信したか否かが判断される。この反力付与信号は、前述のように設定値が変化した場合など、何らかの告知をドライバＤに対して行いたい場合に、本処理とは別の処理によって発生される。この反力付与信号は、例えば、表示制御部１５において発生され、ＣＡＮバス５０を介して操作制御部４０に送られてもよい。
【００３２】
反力付与信号が受信されていない場合は（Ｓ９：Ｎ）、処理は前述のＳ１へ移行し、反力付与信号が受信された場合は（Ｓ９：Ｙ）、処理はＳ１１へ移行する。Ｓ１１では、Ｓ７にて決定された方向に反力が付与される。続くＳ１３では、ポインタ６９が反力付与前の位置へ戻るように操作ノブ３１を移動させる処理が実行されて、処理は前述のＳ１へ移行する。なお、Ｓ１３にて操作ノブ３１に付与される力は、前記反力に比べて極めて弱いものでよい。また、操作ノブ３１がドライバＤの指でしっかりと支持されることにより、前記反力が付与されてもほとんど操作ノブ３１が移動されていない場合は、Ｓ１３では実質的に操作ノブ３１の移動処理がなされない場合がある。
【００３３】
［第１実施形態の効果］
以上の処理が実行されることにより、例えば図４に示した画面の場合、図６（Ｃ），（Ｄ），（Ｅ）に示すように、反力Ｆの付与方向が常に丸アイコン６３（他の丸アイコン６４，６５であってもよい）の中心を向くように制御される。このため、本実施形態では、反力Ｆの付与によって操作ノブ３１に振動が付与されても、ポインタ６９が現在表示されているボタン（図４の例では丸アイコン６３〜６５のいずれか）から、そのポインタ６９が外れてしまうのを良好に抑制することができる。
【００３４】
また、本実施形態の操作ノブ３１は、Ｚ軸回りに回転可能で、操作ノブ３１を捻る操作がなされているときに、前述のように設定値が変化して振動が付与される（Ｓ９）。操作ノブ３１を捻る力がドライバＤの指から加わっているときは、前述のようにポインタ６９が丸アイコン６３等から外れやすくなる場合があるが、本実施形態では、前述のように反力の付与方向を制御することでそのような課題も解決することができる。従って、本実施形態では、発明の効果が一層顕著に表れる。
【００３５】
［第２実施形態］
第２実施形態の操作装置は、第１実施形態における操作デバイス３０を、図８に示す操作デバイス１３０に置き換えたものである。この操作デバイス１３０の操作ノブ１３１は、レバー１３２を介して被取付面３５上に設けられている。この操作ノブ１３１は、ＸＹ方向に移動可能に設けられているが、Ｚ軸回りに回転せず、タッチパッド３２や決定ボタン３３も備えていない。この操作ノブ１３１は、被取付面３５方向に押下することで、設定値の変更等を指示することができる。また、本実施形態でも、第１実施形態と同様の処理が実行されるが、図７におけるＳ３の処理は操作ノブ１３１が押下されたか否かの判断に置き換えられ、Ｓ７における反力の付与方向決定は次のようになされる。
【００３６】
図９（Ａ），（Ｂ）は、複数のＬＥＤ１６０を横一列に並べてなるバー表示１６２がＬＣＤモニタ１１（図３参照）になされ、そのバー表示１６２の両端にアイコン１６３，１６５が表示された例を表している。
【００３７】
バー表示１６２の右側のアイコン１６３は、図９（Ｂ）に示すようにポインタ１６９がそのアイコン１６３の上に表示された状態で、操作ノブ１３１が押下されたとき、ＬＥＤ１６０のうちの発光しているＬＥＤ１６０Ａの位置を右方向（＋方向）に順次移動させるものである。この移動によって、設定値が順次増加される。
【００３８】
バー表示１６２の左側のアイコン１６５は、図９（Ａ）に示すようにポインタ１６９がそのアイコン１６５の上に表示された状態で、操作ノブ１３１が押下されたとき、ＬＥＤ１６０のうちの発光しているＬＥＤ１６０Ａの位置を左方向（−方向）に順次移動させるものである。この移動によって、設定値が順次減少される。このようにして発光しているＬＥＤ１６０Ａの位置の位置が移動すると、反力付与信号が受信されて（Ｓ９：Ｙ）、操作ノブ１３１に振動が付与される（Ｓ１１，Ｓ１３）。
【００３９】
ここで、図９（Ｃ），（Ｄ）に示すように、操作ノブ１３１にＳ１１にて反力Ｆが付与される方向が左右のいずれにも確定していないと、ドライバＤは、操作ノブ１３１の振動だけからは発光しているＬＥＤ１６０Ａの移動方向が判断できない。
【００４０】
これに対して、本実施形態におけるＳ７では、図９（Ｅ）に示すように、ポインタ１６９がアイコン１６５の上に表示された状態で操作ノブ１３１が押下されると、反力Ｆの付与方向が左方向に決定される。また、図９（Ｆ）に示すように、ポインタ１６９がアイコン１６３の上に表示された状態で操作ノブ１３１が押下されると、反力Ｆの付与方向が右方向に決定される。すなわち、図９（Ａ）又は図９（Ｂ）の表示がなされているとき、Ｓ７では、反力Ｆの付与方向が、発光しているＬＥＤ１６０Ａの移動方向と一致するように決定される。このため、ドライバＤは、ディスプレイ１０を見なくても、発光しているＬＥＤ１６０Ａの移動方向を知ることができる。
【００４１】
なお、このような制御は、ＬＥＤ１６０が図９（Ａ），（Ｂ）に示すように離散的に設けられた場合に限らず、ＬＥＤが連続的に棒状に設けられて棒グラフが伸縮する場合にも、同様に実施することができる。
【００４２】
また、図１０（Ａ）は、この実施形態における他の画面を表している。図１０（Ａ）に示す画面では、ＬＣＤモニタ１１（図３参照）に設定値を数字で表示する数字表示部２６２が表示され、その左右両側にアイコン２６３，２６５が表示される。右側のアイコン２６３は、設定値（数字）を増加させるためのアイコンで、ポインタ１６９がそのアイコン２６３の上に表示された状態で操作ノブ１３１が押下されると、数字表示部２６２に表示された設定値が増加する。左側のアイコン２６５は、設定値（数字）を減少させるためのアイコンで、ポインタ１６９がそのアイコン２６５の上に表示された状態で操作ノブ１３１が押下されると、数字表示部２６２に表示された設定値が減少する。以下、数字表示部２６２に表示可能な設定値の上限が９０である場合を例にとって説明する。
【００４３】
図１０（Ａ）に示すように、数字表示部２６２に表示された設定値が上限未満の８５である場合に、ポインタ１６９がアイコン２６３の上に表示された状態で操作ノブ１３１が押下されると、数字表示部２６２に表示された設定値が増加する。このとき、操作ノブ１３１には特に振動は付与されなくてもよく、第１実施形態と同様にポインタ１６９をアイコン２６３の中心に移動させる方向に反力Ｆが付与されてもよい。
【００４４】
図１０（Ｂ）に示すように、数字表示部２６２に表示された設定値が上限の９０である場合は、ポインタ１６９がアイコン２６３の上に表示された状態で操作ノブ１３１が押下されても、その押下は無効である。このとき、操作ノブ１３１に付与される反力の方向はは、ポインタ１６９がアイコン２６３の中心から離れる操作方向に決定される（Ｓ７）。すると、図１０（Ｂ）に示すように、操作ノブ１３１の位置は前記反力が付与されることによってアイコン２６３に対応する位置からずれ、ポインタ１６９も、図１０（Ｂ）に矢印で示すようにアイコン２６３から外れる。
【００４５】
このため、ドライバＤは、ディスプレイ１０を見なくても、その時点でポインタ１６９が配置されているボタン（図１０の例ではアイコン２６３）に対する操作が無効であることを、操作ノブ１３１に加わる振動に基づいて知ることができる。
【００４６】
なお、前記各実施形態において、丸アイコン６３，６４，６５及びアイコン１６３，１６５，２６３，２６５が指示部の一例に、ディスプレイ１０が画像表示部の一例に、ドライバＤが操作者に、操作ノブ３１，１３１が操作部の一例に、位置検出部４２が操作状態検出部の一例に、ディスプレイドライバ１６及び操作制御部４０がポインタ表示部の一例に、一対のモータ３８及び操作制御部４０が振動付与部の一例に、操作制御部４０が方向決定部の一例に、それぞれ相当する。また、操作制御部４０の処理のうち、Ｓ１の処理がポインタ表示部の一例に、ＬＥＤ１６０Ａが特定表示の一例に、Ｓ１１，Ｓ１３の処理が振動付与部の一例に、Ｓ７の処理が方向決定部の一例に、それぞれ相当する。
【００４７】
［本発明の他の実施形態］
なお、本発明は前記各実施形態に何ら限定されるものではなく、本発明の要旨を逸脱しない範囲で種々の形態で実施することができる。例えば、前記各実施形態では一対のモータ３８を用いて操作ノブ３１又は１３１に反力を付与しているが、ソレノイド等の他のアクチュエータを用いて反力を付与してもよい。また、図７におけるＳ１３の処理は省略されてもよい。その場合、Ｓ１１による反力付与の処理が繰り返し実行されることにより、操作ノブ３１又は１３１を振動させることができる。また、Ｓ１１とＳ１３とでは同様の強度の反力が互いに逆方向に付与されてもよく、その場合も、最初に付与される力の方向がＳ７で決定されることにより前述の効果が生じる。
【００４８】
また、操作ノブ３１等の操作部は、ＸＹ平面に対して斜めに交差する軸を中心に回転してもよい。また、操作ノブ３１，１３１等の操作部は捩ったり押下したりされなくてもよく、ポインタがアイコン等の指示部上に所定時間表示された場合や、決定ボタン３３等の他の操作部が操作された場合に、前記捩り又は押下がなされた場合と同様の処理がなされてもよい。さらに、本発明は、車載型操作装置に限定されるものではなく、種々の分野に適用することができる。
【符号の説明】
【００４９】
１０…ディスプレイ            １１…ＬＣＤモニタ      １５…表示制御部
１６…ディスプレイドライバ    ２０…遠隔操作装置      ３０，１３０…操作デバイス
３１，１３１…操作ノブ        ３８…モータ            ３９…回転センサ
４０…操作制御部              ４１…モータドライバ    ４２…位置検出部
４３…回転検出部              ６３，６４，６５…丸アイコン
６９，１６９…ポインタ        １６０，１６０Ａ…ＬＥＤ
１６３，１６５，２６３，２６５…アイコン              Ｄ…ドライバ
【図１】
2015170007.tif 000003
【図２】
2015170007.tif 000004
【図３】
2015170007.tif 000005
【図４】
2015170007.tif 000006
【図５】
2015170007.tif 000007
【図６】
2015170007.tif 000008
【図７】
2015170007.tif 000009
【図８】
2015170007.tif 000010
【図９】
2015170007.tif 000011
【図１０】
2015170007.tif 000012